(57)【要約】【課題】  吊り下げて収納する収納物を整然と収納保管でき、また吊り下げや取り出し操作を、簡単且つ容易に、楽にできるようにする。【解決手段】  前側の扉１を開扉時に外側上方に回動させる。扉１の裏側近傍のキャビネット本体２内の位置に、収納物８を吊り下げるためのバー状部材７を、キャビネット本体２に基端を枢着させた支持腕部材９で支持して前後方向に回動自在に設ける。支持腕部材９の基端を、扉１を回動自在に支持するアーム部材１０の基端に、扉１の回動方向とは反対方向にバー状部材７を回動させる伝動機構１１を介して接続する。バー状部材７は、開扉時に扉１が上方に回動すると下方に回動してキャビネット本体２の開口面から突き出されて配置され、閉扉時に扉１が下方に回動すると上方に回動してキャビネット本体２内に収納される。【選択図】      図１
2005177341.tif 000002
【特許請求の範囲】
【請求項１】
前側の扉が開扉時に外側上方に回動されるアッパーキャビネットであって、上記扉の裏側近傍のキャビネット本体内の位置に、収納物を吊り下げるためのバー状部材が、キャビネット本体に基端が枢着されている支持腕部材で支持されて前後方向に回動自在に設けられ、このバー状部材を支持する支持腕部材の基端が、上記の扉を回動自在に支持するアーム部材の基端に、扉の回動方向とは反対方向にバー状部材を回動させる伝動機構を介して接続され、開扉時に扉が上方に回動するとバー状部材が下方に回動してキャビネット本体の開口面から突き出されて配置され、閉扉時に扉が下方に回動するとバー状部材が上方に回動してキャビネット本体内に収納されることを特徴とするアッパーキャビネット。
【請求項２】
請求項１記載のアッパーキャビネットであって、伝動機構が、アーム部材の基端に接続されてアーム部材に連動してアーム部材と同方向に回転する一方の歯車と、この一方の歯車に噛み合わされた他方の歯車とで形成され、この他方の歯車の軸部に支持腕部材の基端が連結され、支持腕部材が他方の歯車に連動して他方の歯車と同方向に回転可能に形成されていることを特徴とするアッパーキャビネット。
【請求項３】
請求項１記載のアッパーキャビネットであって、伝動機構が、アーム部材の基端の軸部と支持腕部材の基端の軸部とにベルトがクロスに掛け渡されて形成されていることを特徴とするアッパーキャビネット。
【請求項４】
請求項１乃至３の何れかに記載のアッパーキャビネットであって、バー状部材が、扉の全開時に、キャビネット本体の底板より下方に配置されることを特徴とするアッパーキャビネット。
【発明の詳細な説明】
【技術分野】
【０００１】
本発明はアッパーキャビネットに関し、更に詳しくは例えば台所の流し台やレンジ台、或いは洗面室の上方の壁面等に取り付けて使用するアッパーキャビネットに関するものである。
【背景技術】
【０００２】
従来、この種のキャビネットとしては、例えばキャビネット本体を、天板、裏板、底板、左右の側板で、前面開口状の箱形に形成し、前側の開口面を塞ぐ扉を、天板と蝶番などで連結させ、リンク式金具やダンパー等のアーム部材で外側上方に回動して開くよう形成しているものがある（例えば特許文献１、同２参照）。
【特許文献１】特開２００３−２６５２４９号公報
【特許文献２】特開平１１−１５５６６２号公報（図５）
【発明の開示】
【発明が解決しようとする課題】
【０００３】
ところで、従来、例えば御玉杓子やフライパン返し、或いは布巾等の吊り下げて収納する収納物は、台所の壁面にフック等を介して収納保管されることが多い。しかし流し台やレンジ台周りに適当な壁面がない場合は、使用者はこの種の収納物を流し台の引き出しに収納したり、カップ等の入れ物に逆さに入れ、流し台等の周りに配置するのが通例である。
従って従来は、この種の収納物が流し台やレンジ台周りに露出して配置されたから、流し台周りが雑然化するのを避けられなかった。また引き出しに収納する場合は、引き出し内が乱雑化して、任意の道具を直ぐに取り出すことができにくい、という不利益があった。
而してこのような問題を解決する案として、例えば流し台等の上方のアッパーキャビネット内に、この種の収納物をフック等を用いて吊り下げ、収納保管する方法もある。しかしこの種のキャビネットは、流し台等を使用する際に支障とならないよう、通常、高い位置に設置されるものである。従ってこの種の収納物をアッパーキャビネット内にフックを介して単に収納保管するのでは、御玉杓子等をフックに引っ掛けたり、フックから取り外したりするとき、使用者は手を高く伸ばしたり、或いは背伸びしなければならない等、無理な姿勢を強いられることになる。
【０００４】
本発明は、このような従来技術の問題点に鑑み、提案されたものである。
従って本発明の解決しようとする技術的課題は、御玉杓子等の吊り下げて収納する収納物を整然と収納保管でき、またこの種の収納物の吊り下げや取り出し操作を、簡単且つ容易に、楽にできるよう形成したアッパーキャビネットを提供することにある。
【課題を解決するための手段】
【０００５】
本発明は、上記の課題を解決するため、次のような技術的手段を採る。
即ち本発明は、図１等に示されるように、前側の扉１が開扉時に外側上方に回動されるアッパーキャビネットであって、上記扉１の裏側近傍のキャビネット本体２内の位置に、収納物８を吊り下げるためのバー状部材７が、キャビネット本体２に基端が枢着されている支持腕部材９で支持されて前後方向に回動自在に設けられ、このバー状部材７を支持する支持腕部材９の基端が、上記の扉１を回動自在に支持するアーム部材１０の基端に、扉１の回動方向とは反対方向にバー状部材７を回動させる伝動機構１１を介して接続され、開扉時に扉１が上方に回動するとバー状部材７が下方に回動してキャビネット本体２の開口面から突き出されて配置され、閉扉時に扉１が下方に回動するとバー状部材７が上方に回動してキャビネット本体２内に収納されることを特徴とする（請求項１）。
【０００６】
ここで、収納物８とは、引っ掛けたり、吊るしたりして収納保管するものを意味し、具体的には御玉杓子、フライパン返し、泡立て器、マナ箸、布巾、タオル等がある。またバー状部材７とは、この種の収納物８を引っ掛けたり、吊るすことができる横長状の部材を意味し、具体的には、断面円形、方形等の棒、長板、ワイヤや紐等の線条材などがある。棒や板の場合は、引っ掛け位置がずれないよう、正面視で鋸歯状、正弦波状、矩形波状等に形成されたり、引っ掛け用のフック等を備えて形成されているのでも良い。また本発明の場合、支持腕部材９、アーム部材１０は、通常、キャビネット本体２の側板２ｂの内側に配置されるが、その他例えば天板２ａの前側下面の中央位置等に設けられるのでも良い。また本発明の場合、扉１は手動開閉には限られず、モータ等で自動開閉されるのでも良い。
【０００７】
而して請求項１記載の本発明の場合、伝動機構１１は、アーム部材１０の基端に接続されてアーム部材１０に連動してアーム部材１０と同方向に回転する一方の歯車１１ａと、この一方の歯車１１ａに噛み合わされた他方の歯車１１ｂとで形成され、この他方の歯車１１ｂの軸部に支持腕部材９の基端が連結され、支持腕部材９が他方の歯車１１ｂに連動して他方の歯車１１ｂと同方向に回転可能に形成されているのが好ましい（請求項２）。
【０００８】
なぜならこれによると、簡単な構成でバー状部材７を扉１に連動させて上げ下げできるからである。この本発明の場合、一方の歯車１１ａは、アーム部材１０の基端に直に接続される場合には限られず、例えばベルト１１ｃや歯車機構を介して間接的に接続されるのでも良い。一方の歯車１１ａと、アーム部材１０の基端は、アーム部材１０及び支持腕部材９の配置上、通常、離れた位置に配置されることが多い。従って両者をベルト１１ｃ等で間接的に接続する場合は、両者の位置決め等に対応し易くなる。
【０００９】
また請求項１記載の本発明の場合は、図５等に示されるように、伝動機構１１が、アーム部材１０の基端の軸部と支持腕部材９の基端の軸部とにベルト１１ｄがクロスに掛け渡されて形成されているのでも良い（請求項３）。
この場合は、伝動機構１１を少数の構成部品で形成できるから、これによると、製造コスト、組立てコストを低廉化でき、故障の発生率を低減化できる。
【００１０】
また請求項１乃至３の何れかに記載の本発明の場合、バー状部材７は、図１に示されるように、扉１の全開時に、キャビネット本体２の底板２ｃより下方に配置されるのが好ましい（請求項４）。
なぜならこれによると、バー状部材７を低い位置に配置でき、御玉杓子やフライパン返し等の収納物８を、楽に引っ掛けたり、取り出したりできるからである。
【発明の効果】
【００１１】
本発明は、このように収納物を吊るすためのバー状部材を、外側上方に回動して開く扉に連動させて上げ下げ可能に形成しているものである。
従って本発明の場合は、御玉杓子等の収納保管機能を有し、御玉杓子等の収納物を整然と収納保管でき、流し台等の周りをスッキリさせることができる。またこれによると、この種の収納物の取り出しや収納保管操作を、簡単且つ容易に、楽にできる。
【発明を実施するための最良の形態】
【００１２】
以下、本発明を実施するための最良の形態を説明する。
本発明は、前側の扉１が開扉時に外側上方に回動されるアッパーキャビネットである。扉１が上方に回動して全開すると、キャビネット本体２の天板２ａより高い位置に扉１が配置されるため、通常、本発明は例えば図４に示されるように、台所の流し台３の上方に、天井４との間にスペースを空けて設置される。同図において、５は本発明品と天井４との間に設置されているキャビネットである。本発明品は、通常、使用者の目線の高さに合わせて、この種のキャビネット５の下面や、或いは台所の壁面６等に取り付けられる。
【００１３】
７（図１等参照）は、収納物８としての例えば御玉杓子やフライパン返し等を吊り下げるためのバー状部材である。このバー状部材７は、この実施形態では丸棒でキャビネット本体２の横幅より僅かに短く形成され、扉１の裏側近傍のキャビネット本体２内の位置に、キャビネット本体２の側板２ｂに基端が枢着されている左右一対の支持腕部材９で支持されてキャビネット本体２の前後方向に回動自在に設けられている。
【００１４】
バー状部材７を支持する支持腕部材９の基端は、扉１を回動自在に支持するアーム部材１０の基端に、扉１の回動方向とは反対方向にバー状部材７を回動させる伝動機構１１を介して接続されている。これによりバー状部材７は、開扉時に扉１が上方に回動すると下方に回動してキャビネット本体２の開口面から突き出されて配置され、閉扉時に扉１が下方に回動すると上方に回動してキャビネット本体２内に収納される。なお支持腕部材９の基端は、バー状部材７が扉１の全開時にキャビネット本体２の底板２ｃより下方に配置されるよう位置決めされている。
【００１５】
上記の伝動機構１１は、アーム部材１０の基端に接続されてアーム部材１０に連動してアーム部材１０と同方向に回転する一方の歯車１１ａと、この一方の歯車１１ａに噛み合わされた他方の歯車１１ｂとで形成されている。１１ｃは、一方の歯車１１ａの軸部と、アーム部材１０の基端の軸部とにけさ掛けされているベルトである。このベルト１１ｃは、例えばタイミングベルトで形成され、この実施形態では、アーム部材１０と一方の歯車１１ａとが、このようにベルト伝動によって間接的に接続されている。また本発明は、他方の歯車１１ｂの軸部に支持腕部材９の基端が連結され、支持腕部材９が他方の歯車１１ｂに連動して他方の歯車１１ｂと同方向に回転可能に形成されている。なおこの実施形態では扉１が閉まった状態（図３参照）で取っ手１２を持って扉１を押し上げる（引き上げる）と、扉１と側板２ｂに端部が枢着されたくの字型金属板１３の基端に前端が連結されたコイルスプリング１４の復元力で外側上方に扉１が軽く回動するよう形成され、扉１が全開されると（図１参照）、コイルスプリング１４の牽引力で扉１が静止するよう形成されている。
【００１６】
１５は、キャビネット本体２内に設けられている棚板である。この棚板１５は、バー状部材７がキャビネット本体２内に仕舞われたとき、バー状部材７に吊り下げられている収納物８が前端１５ａにぶつからないよう、前端１５ａがバー状部材７の位置より奥側に配置されている。
【００１７】
次に本発明の作用を説明する。
本発明の場合、扉１が閉まった状態（図３参照）で、取っ手１２を持って扉１を引き上げる（押し上げる）と、図１において、アーム部材１０が基端の軸部を中心に時計方向に回動する。従って一方の歯車１１ａがベルト１１ｃを介して同方向に回転し、この一方の歯車１１ａに噛み合わされている他方の歯車１１ｂが反時計方向に回転する。この結果、他方の歯車１１ｂの軸部に基端が連結されている支持腕部材９が、反時計方向に回動し、バー状部材７が下方に回動してキャビネット本体２の開口面から突き出される。
【００１８】
而して使用者は、この状態でバー状部材７から御玉杓子等の収納物８を取り外して使用する。また使用後は、バー状部材７に御玉杓子等を引っ掛けて吊るし、次いで扉１を引き降ろす（押し下げる）。すると、ベルト１１ｃ、一方の歯車１１ａ、他方の歯車１１ｂが、上例とは逆に回転し、支持腕部材９が時計方向に回動してバー状部材７が引き上げられる。そして扉１が完全に閉まると、バー状部材７はキャビネット本体２内に御玉杓子等の収納物８と一緒に収納される（図３の状態参照）。
【００１９】
以上の処において、本発明の場合、上記の伝動機構１１は、例えば図５、図６に示されるように、アーム部材１０の基端の軸部と支持腕部材９の基端の軸部とにベルト１１ｄがクロスに掛け渡されて形成されているのでも良い。この実施形態の場合は、開扉時に、扉１が外側上方に回動してアーム部材１０の基端の軸部が時計方向に回転すると、ベルト１１ｄを介して支持腕部材９の基端の軸部が反時計方向に回転する。これにより、支持腕部材９が下方に回動してバー状部材７が下降する。また扉１を引き降ろすと、ベルト１１ｄが上記と逆に回転し、支持腕部材９が時計方向に回動してバー状部材７が引き上げられる。これにより御玉杓子等の収納物８が、キャビネット本体２内に収納される。
【図面の簡単な説明】
【００２０】
【図１】本発明のキャビネットの好適な一実施形態を示す、図２のＩ−Ｉ線における断面図である。
【図２】同上キャビネットの扉が全開した状態の正面図である。
【図３】同上キャビネットの扉が閉まった状態の断面図である。
【図４】同上キャビネットの設置状態の一例を示す側面図である。
【図５】同上キャビネットの他の実施形態を示す、扉が全開した状態の断面図である。
【図６】図５の実施形態の扉が閉まった状態の断面図である。
【符号の説明】
【００２１】
１    扉
２    キャビネット本体
７    バー状部材
８    収納物
９    支持腕部材
１０  アーム部材
１１  伝動機構
【図１】
2005177341.tif 000003
【図２】
2005177341.tif 000004
【図３】
2005177341.tif 000005
【図４】
2005177341.tif 000006
【図５】
2005177341.tif 000007
【図６】
2005177341.tif 000008